(57)【要約】      （修正有）【課題】解決しようとする課題は割り勘の個々の支払額の良識の範囲内の概算値を手軽に知ることである。【解決手段】第１の表は、女性の人数を縦、男性の人数を横にそれぞれ小さい順に配列し、Ａ（１）行Ａ（２）列のセルに疑似人数Ｎ（１）を配列した表である。第２の表は疑似人数を縦、総額を横にそれぞれ小さい順に配列し、Ｉ行Ｊ列のセルの上部に疑似人数の欄のＩ行目の値で総額の欄のＪ列目の値を割った値Ｍを女性の支払額の比率Ｋ（１）倍した値Ｑ（１）を１０倍した値を小数点以下第１位で四捨五入した値Ｒ（１）を、下部にＭを男性の支払額の比率Ｋ（２）倍した値Ｒ（２）を配置した表である。この場合、百円単位でＲ（１）が女性の支払額、Ｒ（２）が男性の支払額になる。計算方法を電子機器にプログラムして使用することも可能で、たとえば、携帯電話、電卓の機能の一部、あるいは割り勘専用電卓とすることができる。つまり、Ｓ種類の人員と、それに対応するＳ個の比率と総額を入力すると、Ｓ個の支払額が出力される機能になる。【選択図】図１
2006040238.tif 000002
【特許請求の範囲】
【請求項１】
Ｓ個の変数Ａ（１）、Ａ（２）、Ａ（３）、・・・、Ａ（Ｓ）とＳ個の定数Ｋ（１）、Ｋ（２）、Ｋ（３）、・・・、Ｋ（Ｓ）にたいして、Ｓ−１個の変数Ｎ（１）、Ｎ（２）、Ｎ（３）、・・・、Ｎ（Ｓ−１）が数式１の漸化式で決定できるＳ−１個の表と、変数Ｎ（Ｓ−１）と変数Ｐに対して数式２で決定したＳ個の値Ｑ（１）、Ｑ（２）、Ｑ（３）、・・・、Ｑ（Ｓ）をそれぞれ順に、与えられた要領で概算したＳ個の値Ｒ（１）、Ｒ（２）、Ｒ（３）、・・・・、Ｒ（Ｓ）を表示する表からなる割り勘計算表。
〔数１〕
Ｎ（１）＝Ｋ（１）×Ａ（１）＋Ｋ（２）×Ａ（２）
Ｎ（Ｉ）＝Ｎ（Ｉ−１）＋Ｋ（Ｉ）×Ａ（Ｉ）
Ｉ＝２、３、４、・・・、Ｓ−１
〔数２〕
Ｍ＝Ｐ／Ｎ（Ｓ−１）
Ｑ（Ｉ）＝Ｋ（Ｉ）×Ｍ
Ｉ＝１、２、３、・・・、Ｓ
【発明の詳細な説明】
【技術分野】
【０００１】  本発明は割り勘計算表に関するものである。
【背景技術】
【０００２】  従来、割り勘する人員を男性、女性によって、支払い比率を考慮した割り勘の計算をする手段としては、電子機器によるものがあった。これらは問題の値を早く、正確に求めることができる。【０００３】  しかし、これらの機器は大掛かりで、不必要に正確である。【０００４】  例えば、男女何人かで酒を飲みに行った場合の男女の支払い額の問題である。この場合、電子機器を用いて何十何円、余り何円まで計算すると許容が狭い雰囲気になり、本来の親睦の目的に反することになる。また、あまりに不正確だと大きく余ったり、足りなかったり、男女の支払い比率が極端になったりして、不公平感や不信感をまねくことになり、これも本来の親睦の目的に反する。また、暗算で求めるとき、酔っていて計算に時間が掛かり過ぎたり、間違えたりするのも場をしらけさせることになる。
この場合、大切なことは良識の範囲内の概算値を手軽に知ることである。
【特許文献１】特許公開８−２５５１３７
【特許文献２】特許公開９−９７２４０
【特許文献３】特許公開２００３−１０９１２４
【発明の開示】
【発明が解決しようとする課題】
【０００５】  本発明が、解決しようとする課題はこの良識の範囲内の概算値を手軽に知るにはどうしたらよいかということである。
【課題を解決するための手段】
【０００６】  本発明は許容範囲内の概算値を手軽に知るために特許請求の範囲に記載した計算表とした。
【発明の効果】
【０００７】  計算表によることで、良識の範囲内の概算値を安価で、手軽に知ることができる。
【発明を実施するための最良の形態】
【０００８】  特許請求の範囲に記載した計算表とした。
【実施例１】
【０００９】  特許請求の範囲に記載した内容で、Ｓ＝２とし、Ａ（１）を女性の人数、Ａ（２）を男性の人数とし、Ａ（１）を１以上３以下、Ａ（２）を１以上４以下とする。女性の支払額対男性の支払額の比率を１対１．３とし、Ｋ（１）＝１、Ｋ（２）＝１．３とする。Ｐを総額とし、千円単位とし、Ｐを４以上２４以下の整数とする。図１の第１の表は、女性の人数を縦、男性の人数を横にそれぞれ小さい順に配列し、Ａ（１）行Ａ（２）列のセルにＮ（１）を配置した表である。このＮ（１）を擬似人数と呼ぶことにする。この擬似人数の発想が、本発明の核心部分になる。これによって、はじめて男女の支払いの問題を計算表とゆう平面で解くことができる。男性の数、女性の数、総額の３要素を別々の考えると、どうしても３次元の立体で表現しなければならない。Ｎ（１）の値は桁数か多いので、実用的にはこれを一般に順番が知られているアルファベット、十二支、１６進数、十進数などにコード化したほうがよい。図１の第２の表は擬似人数を縦、総額を横にそれぞれ小さい順に配列し、Ｉ行Ｊ列のセルの上部に擬似人数の欄のＩ行目の値で総額の欄のＪ列目の値を割った値ＭをＫ（１）倍した値Ｑ（１）を１０倍した値を少数点以下第１位で四捨五入した値Ｒ（１）を、下部にＭをＫ（２）倍した値Ｑ（２）を少数点以下第１位で四捨五入した値Ｒ（２）を配置した表である。この場合、百円単位でＲ（１）が女性の支払額、Ｒ（２）が男性の支払額になる。誤差は数百円＋５００円の範囲の過不足であり、総額に対しては僅かな額になる。これぐらいの誤差は良識の範囲内と考えられる。また、ほとんど使用するとは思われない欄は空白にしてある。この実施例では、説明上、男女の数、総額の欄を少なくしてあるが、男女の数、総額の欄を多くすると、第２の表が大きくなるので、適当に分割して表示する。このとき空欄、つまり、ほとんど使用するとは思われない欄をなるべくカットして分割する。特許請求の範囲にある、与えられた要領で概算したとは、この実施例では四捨五入することであるが、一般にもっと複雑なものも考えられる。例えば、女性の支払額が２１００円とか、半端な額のときは誤差を許容できる範囲内である場合は２０００円にしてその分を男性の支払額に上乗せする等。
【実施例２】
【００１０】  図２が実施例２である。この実施例２では、実施例１で述べた注意をもとに擬似人数を小さい順に十進数でコード化し、ほとんど使用するとは思われない欄をカットしてある。さらに、女性の人数の欄、男性の人数の欄、擬似人数の欄、総額の欄、個人の支払額の欄、列や行を色分けすれば、もっと見やすくすることができる。
【産業上の利用可能性】
【００１１】  男女の２グループのみならず。３グループ以上でも可能であり、また一般に複数のグループに比例分配する場合に使用できる。勿論、特許請求の範囲に記載した計算方法を電子機器にプログラムして使用することも可能である。たとえば、携帯電話、電卓の機能の一部、あるいは割り勘専用電卓とすることができる。つまり、Ｓ種類の人員と、それに対応するＳ個の比率と総額を入力すると、Ｓ個の支払額が出力される機能になる。その他には、遊び感覚で本発明の割り勘計算表をＴシャツにプリントしてもおもしろい。
【図面の簡単な説明】
【００１２】
【図１】割り勘計算表を実施した表である。（実施例１）
【符号の説明】
【００１３】１  女性の人数
２  男性の人数
３  擬似人数
４  総額
５  女性の支払い額
６  男性の支払い額
７  十進数にコード化された擬似人数
【図１】
2006040238.tif 000003
【図２】
2006040238.tif 000004
【手続補正書】
【提出日】平成16年9月26日(2004.9.26)
【手続補正１】
【補正対象書類名】明細書
【補正対象項目名】００１２
【補正方法】変更
【補正の内容】
【００１２】
【図１】割り勘計算表を実施した表である。（実施例１）
【図２】割り勘計算表を実施した表である。（実施例２）